(57)【要約】【課題】銀行窓口などで使用する机もしくはカウンターなどを昇降させる昇降装置を提供する。【解決手段】左右一対のＸ型リンク機構をベースの左右端部と左右側部にある上部天板との間に設けて各々独立または一体にし、前記シリンダーを倒立させ該シリンダーのシリンダーパイプを該Ｘ型リンク機構の後部の後部天板に各々固着すると共に、該シリンダーのロッド先端を各々昇降装置のベースに固着し、前記左右の上部天板間の内側下端部を天板にて繋ぎ、前記机もしくはカウンターなどを固定するための係止具または係止装置を前記天板に取り付けるか、もしくは該天板そのものを係止具化した。【選択図】図３
2006014969.tif 000002
【特許請求の範囲】
【請求項１】
銀行窓口などで使用する机もしくはカウンターなどをシリンダーで昇降させる昇降装置において、前記昇降装置は左右一対のＸ型リンク機構をベースの左右端部と左右側部にある上部天板との間に設けて各々独立または一体にし、前記シリンダーを倒立させ該シリンダーのシリンダーパイプを該Ｘ型リンク機構の後部の後部天板に各々固着すると共に、該シリンダーのロッド先端を各々昇降装置のベースに固着し、前記左右の上部天板間の内側下端部を天板にて繋ぎ、前記机もしくはカウンターなどを固定するための係止具または係止装置を前記天板に取り付けるか、もしくは該天板そのものを係止具化したことを特徴とする昇降装置。
【請求項２】
前記昇降装置の天板が水平に昇降動するために、該昇降装置の背面のベースに左右一対のラックを垂設し、それらラックとそれぞれ噛合するピニオンを後部天板に取り付け、両ピニオンを相互に回転軸で連結した同調装置により天板が水平姿勢を維持したまま昇降動可能としたことを特徴とする請求項１に記載の昇降装置。
【発明の詳細な説明】
【技術分野】
【０００１】
本発明は、銀行窓口などで使用する机もしくはカウンターなどを昇降させる昇降装置に関するものである。
【背景技術】
【０００２】
従来、銀行窓口におけるお客との応対は、一般的に双方（お客及び銀行員）が落ち着いて話をするために椅子に腰掛け対応をしていた。このためすぐに済む用件でも思いのほか時間を要し他のお客をいたずらに待たせてしまい、待ち時間を長引かせてしまっていた。またすぐに済む用件のものならば立って応対が出来るよう予め高い机もしくはカウンターを設けて対応をしているが、他のお客の応対で使用できない場合などでやむを得ず椅子に腰掛けて応対をしなければならなかった。反対に込み入った内容の用件でも他のお客との応対で椅子が空いていない場合（低い机もしくは低いカウンターが空いていない場合）立って応対をしなければならなかったり、また空いている机もしくはカウンターに移動しなければならず、お客に不愉快な思いをさせてしまうことがあった。
【０００３】
尚、今までの銀行窓口における机もしくはカウンターなどは、その状況に合わせられるよう昇降できるものは特になく、他の例で言えば特許文献１及び２に記載されているような机の天板を昇降させるものや、特許文献３のような加熱機器部の下部に内蔵されている昇降台によりカウンターの高さ調整をする機構のものであった。
【０００４】
【特許文献１】特開平２００２−１４２８７６号公報
【特許文献２】特開平２００２−１５９３４６号公報
【特許文献３】特開平１１−５６４９６号公報
【発明の開示】
【発明が解決しようとする課題】
【０００５】
特許文献１或いは２に記載されている机の天板を昇降させる天板昇降装置を銀行窓口における机もしくはカウンターなどに採用した場合、天板だけが昇降するのでキャッシング装置などのオペレーション機器を操作する位置の高さが変わってしまい、都度腰を曲げて操作をしなくてはならなくなり辛いものがあり、また天板だけが上がるので本体との間が開いてしまい、机もしくはカウンターなどの下や銀行の奥が見えてしまうなどの欠点を要すこととなる。
【０００６】
また、特許文献３に記載の昇降装置のようにキッチンキャビネットの加熱機器部の下にある昇降装置を採用した場合、既に最適な高さにある机もしくはカウンターなどの高さやキャッシング装置などのオペレーション機器を操作する位置が高くなり、お客との応対や業務処理がし辛くなってしまう。更に、キャッシング装置などのオペレーション機器を修理する場合、キャッシング装置などのオペレーション機器は比較的重いので机もしくはカウンターなどの下から運び出すのが大変困難になるなどの欠点を要すこととなる。
【０００７】
更に、特許文献３の第４図に記載にあるように床にピットを掘り設置すればよいが、設置工事が大変で、またピットに設置した昇降装置が故障した場合ピットから出さなくてはならず大変面倒なるなどの欠点を要すこととなる。
【課題を解決するための手段】
【０００８】
そこで、本発明は上記問題点に鑑み、高低の違う机もしくはカウンターを２種類設けることなく、またお客との対応の状況に応じて机もしくはカウンターを昇降させ、お客を移動させて不愉快な思いをさせることもなく、楽に銀行業務が行うことができ、更にキャッシング装置などのオペレーション機器を修理する際も、机もしくはカウンターなどの下から運び出すのに楽な昇降装置を提供することを目的とする。
【０００９】
上記課題を解決するために、請求項１の発明は、銀行窓口などで使用する机もしくはカウンターなどをシリンダーで昇降させる昇降装置において、前記昇降装置は左右一対のＸ型リンク機構をベースの左右端部と左右側部にある上部天板との間に設けて各々独立または一体にし、前記シリンダーを倒立させ該シリンダーのシリンダーパイプを該Ｘ型リンク機構の後部の後部天板に各々固着すると共に、該シリンダーのロッド先端を各々昇降装置のベースに固着し、前記左右の上部天板間の内側下端部を天板にて繋ぎ、前記机もしくはカウンターなどを固定するための係止具または係止装置を前記天板に取り付けるか、もしくは該天板そのものを係止具化したことを特徴とする。
【００１０】
この構成により、該昇降装置の全高を低くすることができ、床にピットなどを掘らずに既存の机もしくはカウンターなどを使用することができる。また、昇降装置と机もしくはカウンターなどを係止具または係止装置で固定することにより昇降動させた場合でもズレ動くことはなく、その場の状況に応じて机もしくはカウンターなどを昇降動できるので、高低の違う二種類の机もしくはカウンターなどを設ける必要もなく、またお客に不愉快な思いをさせることもない。更に、机もしくはカウンターなどとキャッシング装置などのオペレーション機器も一緒に昇降動するので楽な姿勢で銀行業務を行うことができる。
【００１１】
請求項２の発明は、請求項１の発明において、昇降装置の天板が水平に昇降動するために、該昇降装置の背面のベースに左右一対のラックを垂設し、それらラックとそれぞれ噛合するピニオンを後部天板に取り付け、両ピニオンを相互に回転軸で連結した同調装置により天板が水平姿勢を維持したまま昇降動可能としたことを特徴とする。
この構成により、机もしくはカウンターなどの下に置いている該キャッシング装置などのオペレーション機器の位置で左右偏荷重になっても、スムーズに昇降動させることができる。
【発明の効果】
【００１２】
以上のように本発明によれば、本発明の昇降装置の係止具又は係止装置で固定された机もしくはカウンターなどを銀行窓口に設ければ、床にピットなどを掘ることなく簡単に設置でき、机もしくはカウンターなど昇降動させた場合でもズレ動くことはなく、高低の違う二種類の机もしくはカウンターなどを設ける必要もなくなる。また、その場の状況に応じて机もしくはカウンターなどを昇降動できるので、お客を移動させたりして不愉快な思いをさせることもなく、スムーズにお客の応対をすることができる。
【００１３】
更に、本発明の昇降装置は最低地上高の低い昇降装置なので、キャッシング装置など重い付属機器を机もしくはカウンターなどの下に運ぶ時に容易に載せることができ、前記キャッシング装置や重い付属機器を修理する場合でも容易に載せ換えることができる。また更に、前記キャッシング装置や重い付属機器を本発明の昇降装置の左右どちらに寄せて置いても、スムーズに昇降動させることができるなどに功を奏する。
【発明を実施するための最良の形態】
【００１４】
以下、本発明に係わる昇降装置を一実施例に基づいて説明する。
図１は本発明の昇降装置にカウンター及びＮＢＴ機（次世代営業店ターミナルシステム：New
Banking Terminal）などを取り付けた状態を示す外観正面図で、図２は平面から見た図である。図３は本発明の昇降装置を昇降させ右側より見た右側面図である。
【００１５】
図１から図３において説明をすると、１は本発明の昇降装置で、昇降装置１の天板２の前面下部とベース３の上部にてロールスクリーン４が取り付けられ、昇降装置１が上昇した時足が中に入らないよう設けられている。５は油圧ユニットで、手元スイッチ６にて前記昇降装置１を昇降動させている。７はカウンター支持部で、カウンター支持部７の下部にて昇降装置１の天板２の後部にて係止具化されている後部天板８にボルト９にて固定されている。またそのカウンター支持部７の上部はお客の対応時使用するカウンター１０が設けられ、カウンター支持部７の後方面は本昇降装置１が上昇した際、後部からの目隠しとしての役目を持っている。
【００１６】
１１はＮＢＴ機で、お客と応対時（銀行窓口業務を）行うのに用い、カウンター１０と昇降装置１の天板２との間に置かれ、係止具化されている昇降装置１の天板２にボルト９で取り付けられている。
１２はサイドパネルで、昇降装置１の天板２の両サイドで係止具化されている側部天板１３にボルト９にて固定され、ＮＢＴ機１１と固定サイドパネル１４（隣との敷居）との隙間を埋めている。１５は壁面パネルで常に本昇降装置１の後部の目隠しとて、カウンター支持部７の後方で左右両側にある固定サイドパネル１４、１４と一体に立設されている。
【００１７】
次に図４〜図５にて本昇降装置１の本体を説明する。１６、１６は油圧シリンダーアッセンで、昇降装置１の左右後方の後部天板８にてそれぞれ設けられている。該油圧シリンダーアッセン１６はシリンダーパイプ１７とシリンダーロッド１８より成り（油圧シリンダーアッセン内部は説明せず）、前記シリンダーパイプ１７の首元（下端部）と昇降装置１の両サイドの後部天板８の後方部にてそれぞれ固着されている。またシリンダーロッド１８・１８の先端は本昇降装置１のベース３後方にそれぞれ垂設されている。
【００１８】
尚、油圧シリンダーアッセン１６、１６は手元スイッチ６の上昇釦を押すことにより油圧ユニット５よりオイルが送られ、シリンダーロッド１８・１８の先端（下部）より油圧シリンダーアッセン１６、１６の内部にオイルが圧送され、本昇降装置１を上昇させる。また、下降させる場合は、手元スイッチ６の下降釦を押し、油圧シリンダーアッセン１６、１６の内部よりオイルを油圧ユニット５に戻すことにより本昇降装置１を下降させる。
【００１９】
１９はラック＆ピニオン式の同調装置で、同調装置１９のラック２０，２０の下部先端部は本昇降装置１のベース３の後方上部にラック固定ボルト２１，２１でそれぞれ固着され、またピニオンシャフト２２で枢支されているピニオン２３，２３は、昇降装置１の側部天板１３の後方部にてそれぞれ装着され、ラック２０，２０と噛合し左右の動きを同調させている。また、ラック２０，２０が常にピニオン２３，２３に噛合するようラックガイドローラ２４，２４がそれぞれ取り付けられている。          
【００２０】
それぞれの油圧シリンダーアッセン１６、１６及びラック＆ピニオン式の同調装置１９は、前記カウンター支持部７の中に納めら外から中が見えないようになっている。２５はＸ型リンクアッセンで、昇降装置１の凹状の天板２の左右側部にある上部天板１３、１３の下部にそれぞれＸリンクペア２６が納められている。該Ｘリンクペア２６は、各補強板Ａ２７、補強板Ｂ２８、補強板Ｃ２９，補強板Ｄ３０でつながれＸ型リンクアッセン２５を形成し、昇降装置１の上下方向に起倒し、前後の水平を保っている。
【００２１】
次に、銀行などの窓口業務での昇降装置１の作動手順を説明する。
通常、本昇降装置を上昇させておき、お客が見えたら立ったままでお客の用件を聞き、簡単な内容の場合そのままの状態で用件を済ませる。しかしながら、お客の用件を聞き、込み入った内容の場合や長時間の説明などを要すると思われたとき、ＮＢＴ機１１上の手元スイッチ６の下降ボタンを押し、油圧ユニット５を作動させ、油圧シリンダーアッセン１６、１６より油圧を抜く。ＮＢＴ機や本体の自重で油圧は油圧ユニットに押戻されるので、シリンダーパイプ１７、１７が下がるとともに天板２にカウンター１０、ＮＢＴ機１１、サイドパネル１２が固定されているので一緒に押し下げられる。
【００２２】
押し下げられた凹状の天板２は、天板２の左右側部にある上部天板１３、１３の下部にそれぞれ納められているＸ型リンクアッセン２５が下方向に倒れ、前後の水平を保ち下降をするとともに、ＮＢＴ機１１の位置にて左右の油圧シリンダーアッセン１６、１６から油圧が抜ける速さが異なるので、左右のバランスが崩れるのをラック＆ピニオン式の同調装置１９で防ぎ、左右前後の水平を保ちカウンター１０、ＮＢＴ機１１、サイドパネル１２が下降をする。
【００２３】
よって、カウンター１０、ＮＢＴ機１１なども下がっているので、椅子に腰掛けた状態で楽にオペレーション機器を操作でき、対応することができ、お客を移動させて不愉快な思いをさせることもない。尚、元に戻したい（上昇させたい）場合は、ＮＢＴ機１１上の手元スイッチ６の上昇ボタンを押し、この逆の動きをさせることになる。
【００２４】
上記実施例は、昇降装置１の天板２、後部天板８、上部天板１３・１３を直に係止具化したが、図６のように鉄板などにタップなどを立てた係止具３２を机もしくはカウンターの脚３４に固着し、ボルト９などで固着又は溶着してもよい。また、図７のようにＮＢＴ機１１などの脚部を直接保持するクランプ装置３３を、直接又は鉄板３６に取り付け天板２、後部天板８、上部天板１３・１３に固着又は溶着してもよい。このクランプ装置は他の実施例の物にとらわれることはなく、いろいろな形のものがあることは言うまでもない。更に実施例でのシリンダーは油圧シリンダーにて説明をしたが、油圧シリンダーをネジシリンダーに替えても良い。
【図面の簡単な説明】
【００２５】
【図１】本発明の昇降装置にカウンター及びＮＢＴ機などを取り付けた状態を示す外観正面図
【図２】本発明の昇降装置にカウンター及びＮＢＴ機などを取り付け、上から見た平面図
【図３】本発明の昇降装置にカウンター及びＮＢＴ機などを取り付け、昇降装置を昇降させ右側より見た右側面図
【図４】本発明の昇降装置のみを昇降させ正面中央部で分割し右側より見た右側面断面図
【図５】本発明の昇降装置のみを昇降させ後側より見た背面図
【図６】（ａ）天板そのものを係止具化した他の実施例（ｂ）天板に係止具を取り付けた他の実施例
【図７】（ａ）天板そのものに係止装置を取り付けたる他の実施例（ｂ）係止装置を係止具を介し天板に取り付けた他の実施例
【符号の説明】
【００２６】
１    本発明の昇降装置
２    天板
３    ベース
４    ロールスクリーン
５    油圧ユニット
６    手元スイッチ
７    カウンター支持部
８    後部天板
９    ボルト
１０  カウンター
１１  ＮＢＴ機
１２  サイドパネル
１３  上部天板
１４  固定サイドパネル
１５  壁面パネル
１６  油圧シリンダーアッセン
１７  シリンダーパイプ
１８  シリンダーロッド
１９  ラック＆ピニオン式の同調装置
２０  ラック
２１  ラック固定ボルト
２２  ピニオンシャフト
２３  ピニオン
２４  ラックガイドローラ
２５  Ｘ型リンクアッセン
２６  Ｘリンクペア
２７  補強板Ａ
２８  補強板Ｂ
２９  補強板Ｃ
３０  補強板Ｄ
３１  ＮＢＴ機取り付け金具
３２  係止具
３３  係止装置
３４  他の実施例の机もしくはカウンターの脚
３５  他の実施例の机もしくはカウンターの脚に固着された係止板Ａ
３６  鉄板
【図１】
2006014969.tif 000003
【図２】
2006014969.tif 000004
【図３】
2006014969.tif 000005
【図４】
2006014969.tif 000006
【図５】
2006014969.tif 000007
【図６】
2006014969.tif 000008
【図７】
2006014969.tif 000009